(57)【要約】【課題】接続端子やコネクタハウジングに損傷を与えずに、コネクタハウジング内のランスと接続端子との係合を簡単に解除することができ、しかも係合解除操作を繰り返してもランスに破損が生じ難い端子係合解除治具を提供すること。【解決手段】端子係合解除治具２１を、コネクタハウジングの治具用孔に挿入される軸部２３と、軸部２３の先端の一部範囲に形成されて接続端子の前端稜線部に端子収容室内のランスとの係合を解除する方向の付勢力を作用させる第１傾斜面５４と、軸部２３の先端の一部範囲に形成されてランスの前端に接続端子との係合を解除する方向の付勢力を作用させる第２傾斜面５５と、を備えた構成とする。【選択図】図１
2011054535.tif 000002
【特許請求の範囲】
【請求項１】
コネクタハウジングの端子収容室の貫通方向に沿って前記コネクタハウジングの前端に穿設された治具用孔に挿入される軸部と、
該軸部の先端の一部範囲に形成されて、前記軸部の前記治具用孔への挿入により前記端子収容室内の接続端子の前端稜線部に当接し、前記接続端子に前記端子収容室内のランスとの係合を解除する方向の付勢力を作用させる第１傾斜面と、
前記軸部の先端の一部範囲に形成されて、前記軸部の前記治具用孔への挿入により前記端子収容室内のランスの前端に乗り上げて、前記ランスに前記接続端子との係合を解除する方向の付勢力を作用させる第２傾斜面と、
を備えたことを特徴とする端子係合解除治具。
【請求項２】
前記軸部が、前記第１傾斜面と第２傾斜面とが前記端子収容室の幅方向に位置をずらして先端に設けられた第１板部と、この第１板部の一側縁から略垂直に延出した第２板部とを備えて、前記第１板部と第２板部とでＬ字形の断面構造に形成されていることを特徴とする請求項１に記載の端子係合解除治具。
【請求項３】
後端から前端に向かって接続端子が嵌合装着される端子収容室と、前記接続端子の挿入方向に直交する方向に弾性変位可能に前記端子収容室に臨んで設けられて、前記端子収容室に装着された前記接続端子に係合して前記接続端子の抜け止めをするランスと、前記ランスと前記接続端子との係合を解除する端子係合解除治具を挿入するために前記端子収容室の貫通方向に沿って前端に貫通形成された治具用孔とを備えたコネクタハウジングであって、
前記治具用孔の横断面構造が、請求項２に記載の端子係合解除治具の横断面構造に相応するＬ字形に形成されていることを特徴とするコネクタハウジング。
【発明の詳細な説明】
【技術分野】
【０００１】
本発明は、接続端子やコネクタハウジングに損傷を与えずに、コネクタハウジング内のランスと接続端子との係合を簡単に解除することができるように改良した端子係合解除治具及びコネクタハウジングに関する。
【背景技術】
【０００２】
図２０は、従来の端子係合解除治具及びコネクタハウジングにおける係合解除操作を示したものである。
【０００３】
図２０に示した端子係合解除治具１及びコネクタハウジング３は、下記特許文献１に開示されたものである。
【０００４】
端子係合解除治具１は、作業者が把持する把持部５と、この把持部５から突出した細径の軸部６とを備えている。そして、軸部６の先端には、隙間に差し込み易いように、先細形状にするテーパ７が形成されている。
【０００５】
コネクタハウジング３は、後端（図２０では、右端）３ａから前端３ｂに向かって接続端子９が嵌合装着される端子収容室１１と、前記端子収容室１１に装着された接続端子９に係合して接続端子９の抜け止めをするランス１３と、ランス１３と接続端子９との係合を解除するための治具用孔１５とを備えている。
【０００６】
ランス１３は、端子収容室１１に臨んで、端子収容室１１の底部に設けられている。ランス１３は、接続端子９の挿入方向に沿って前端３ｂ側に延出した弾性片１３ａに、端子収容室１１内に突出する係止突起１３ｂを設けた構成である。弾性片１３ａは、接続端子９の挿入方向に直交する方向に弾性変位可能である。
【０００７】
治具用孔１５は、端子係合解除治具１の軸部６を挿入可能な孔で、端子収容室１１の貫通方向に沿って前端３ｂに穿設されている。
【０００８】
接続端子９は、金属板のプレス成形品である。端子収容室１１の底部に対向する面に、ランス１３の係止突起１３ｂに係合する凹部９ａが設けられている。
【０００９】
コネクタハウジング３の端子収容室１１に嵌合装着されている接続端子９とランス１３との係合を解除するには、図示のように、端子係合解除治具１の軸部６を治具用孔１５に挿入して、軸部６の先端を接続端子９とランス１３との間に割り込ませる。この状態で、図２０に矢印Ａで示すように端子係合解除治具１を上方にこじると、図２０中の部分拡大図に矢印Ｂで示すように、軸部６の先端部でランス１３が押し下げられ、接続端子９とランス１３との係合が解除される。係合が解除された状態で、接続端子９をハウジングの後方に引くことで、接続端子９をコネクタハウジング３から抜き出すことができる。
【００１０】
しかし、上記の端子係合解除治具１とコネクタハウジング３では、接続端子９とランス１３との係合を解除するために端子係合解除治具１をこじる操作の際に、軸部６との干渉によって接続端子９やコネクタハウジング３に損傷を与えることが少なく無かった。
【００１１】
そして、端子係合解除治具１をこじる操作の際に与えた損傷で、接続端子９の再装着に不具合が生じるおそれがあった。
【００１２】
そこで、下記特許文献２や特許文献３では、こじる操作をせずに接続端子とランスとの係合を解除できるようにした端子係合解除治具及びコネクタハウジングが提案されている。
【００１３】
これらの特許文献２や特許文献３では、端子係合解除治具は、コネクタハウジングの治具用孔に挿入する軸部の先端に、ランスに当接する傾斜面を有している。この傾斜面は、ランスに押圧すると、接続端子との係合を解除する方向の付勢力をランスに作用させる。
【００１４】
これらの特許文献２，３に開示されている技術では、接続端子とランスとの係合を解除するには、端子係合解除治具の軸部を、コネクタハウジングの治具用孔に真っ直ぐに押し込むだけでよく、こじる操作がなくなるため、端子係合解除治具のこじり操作に起因した接続端子やコネクタハウジングの損傷を防止することができる。
【先行技術文献】
【特許文献】
【００１５】
【特許文献１】特開２００４−５５４３３号公報
【特許文献２】特開２００２−２３１３６２号公報
【特許文献３】特開２００４−３２７３７０号公報
【発明の概要】
【発明が解決しようとする課題】
【００１６】
ところが、上記特許文献２，３の技術は、端子係合解除治具の押し込み操作で、ランスのみを係合解除方向に撓ませるもので、係合解除時におけるランスの撓み変位量が大きいため、係合解除操作を繰り返すと、ランスが破損し易いという問題が生じた。
【００１７】
そこで、本発明の目的は上記課題を解消することに係り、接続端子やコネクタハウジングに損傷を与えずに、コネクタハウジング内のランスと接続端子との係合を簡単に解除することができ、しかも係合解除操作を繰り返してもランスに破損が生じ難い端子係合解除治具及びコネクタハウジングを提供することにある。
【課題を解決するための手段】
【００１８】
本発明の前述した目的は、下記の構成により達成される。
（１）コネクタハウジングの端子収容室の貫通方向に沿って前記コネクタハウジングの前端に穿設された治具用孔に挿入される軸部と、
該軸部の先端の一部範囲に形成されて、前記軸部の前記治具用孔への挿入により前記端子収容室内の接続端子の前端稜線部に当接し、前記接続端子に前記端子収容室内のランスとの係合を解除する方向の付勢力を作用させる第１傾斜面と、
前記軸部の先端の一部範囲に形成されて、前記軸部の前記治具用孔への挿入により前記端子収容室内のランスの前端に乗り上げて、前記ランスに前記接続端子との係合を解除する方向の付勢力を作用させる第２傾斜面と、
を備えたことを特徴とする端子係合解除治具。
【００１９】
（２）前記軸部が、前記第１傾斜面と第２傾斜面とが前記端子収容室の幅方向に位置をずらして先端に設けられた第１板部と、この第１板部の一側縁から略垂直に延出した第２板部とを備えて、前記第１板部と第２板部とでＬ字形の断面構造に形成されていることを特徴とする上記（１）に記載の端子係合解除治具。
【００２０】
（３）後端から前端に向かって接続端子が嵌合装着される端子収容室と、前記接続端子の挿入方向に直交する方向に弾性変位可能に前記端子収容室に臨んで設けられて、前記端子収容室に装着された前記接続端子に係合して前記接続端子の抜け止めをするランスと、前記ランスと前記接続端子との係合を解除する端子係合解除治具を挿入するために前記端子収容室の貫通方向に沿って前端に貫通形成された治具用孔とを備えたコネクタハウジングであって、
前記治具用孔の横断面構造が、上記（２）に記載の端子係合解除治具の横断面構造に相応するＬ字形に形成されていることを特徴とするコネクタハウジング。
【００２１】
上記（１）の記載の端子係合解除治具の構成によれば、当該治具の軸部を、コネクタハウジングの端子収容室の貫通方向に沿って、コネクタハウジングの治具用孔に押し込むと、前記軸部の先端の第１傾斜面が前記端子収容室内の接続端子の前端稜線部に当接して、前記端子収容室内のランスとの係合を解除する方向に前記接続端子を変位させる。その一方、前記軸部の先端の第２傾斜面が前記端子収容室内のランスの前端に乗り上げて、前記接続端子との係合を解除する方向に前記ランスを撓み変位させる。従って、前記軸部の前記治具用孔への押し込み量が一定長に達すると、接続端子及びランスのそれぞれの変位によって、互いの係合が解除された状態となる。
【００２２】
換言すると、上記（１）の構成によれば、接続端子とランスとの係合を解除させる際の操作は、端子係合解除治具の軸部を真っ直ぐにコネクタハウジングの治具用孔に押し込むだけでよく、こじる操作が不要になる。
【００２３】
従って、端子係合解除治具のこじり操作に起因した接続端子やコネクタハウジングの損傷を防止することができる。
【００２４】
しかも、上記（１）に記載の端子係合解除治具の構成によれば、コネクタハウジングの治具用孔に真っ直ぐ押し込んだときに、第１傾斜面及び第２傾斜面によって、互いに係合している接続端子とランスのそれぞれを、係合解除方向に変位させる。
【００２５】
そのため、ランスのみを係合解除方向に撓ませていた従来の場合と比較すると、係合解除時におけるランスの撓み変位量を小さくすることができる。従って、係合解除時にランスに作用する負担が小さくなり、係合解除操作を繰り返しても、ランスに破損が生じ難くなる。
【００２６】
上記（２）に記載の端子係合解除治具の構成によれば、軸部の第１板部には、接続端子を変位させる第１傾斜面とランスを変位させる第２傾斜面とが設けられていて、これらの第１傾斜面と第２傾斜面とに作用する反力が互いに逆向きになる。そのため、前記第１板部の先端では、接続端子からの反力とランスからの反力とが打ち消し合うことになる。そのため、ランスのみを変位させるために片側にのみ反力が作用する場合と比較すると、第１板部の先端に作用する反力が小さくなり、第１板部の先端に反りが生じ難い。
【００２７】
しかも、軸部は、第１板部の一側縁に第２板部が延設されていて、断面構造がＬ字形を成していることから、板部の肉厚を低減しても、高い剛性を確保し易い。
【００２８】
従って、上記（２）に記載の端子係合解除治具では、軸部を構成している各板部の肉厚を低減して軽量化を図ることができる。
【００２９】
上記（３）に記載のコネクタハウジングの構成によれば、治具用孔の横断面構造が、前記治具用孔に挿入される端子係合解除治具の横断面構造に相応するＬ字形に形成されていて、例えば、それぞれの板部に対して板厚方向の位置決め精度を上げるだけで、軸部に対しては直交する２方向の位置決め精度を向上させることができる。
【００３０】
従って、治具用孔における端子係合解除治具の位置決め精度を向上させることが比較的容易にでき、端子係合解除治具の位置決め精度が低いために係合解除動作が不安定になることを防止することができる。
【発明の効果】
【００３１】
本発明による端子係合解除治具では、接続端子とランスとの係合を解除させる際の操作は、端子係合解除治具の軸部を真っ直ぐにコネクタハウジングの治具用孔に押し込むだけでよく、こじる操作が不要になる。従って、端子係合解除治具のこじり操作に起因した接続端子やコネクタハウジングの損傷を防止することができる。
【００３２】
しかも、本発明による端子係合解除治具では、互いに係合している接続端子とランスのそれぞれを、係合解除方向に変位させる。そのため、ランスのみを係合解除方向に撓ませていた従来の場合と比較すると、係合解除時にランスに作用する負担が小さくなり、係合解除操作を繰り返しても、ランスに破損が生じ難くなる。
【００３３】
また、本発明によるコネクタハウジングでは、治具用孔の横断面構造が、前記治具用孔に挿入される端子係合解除治具の横断面構造に相応するＬ字形で、治具用孔における端子係合解除治具の位置決め精度を向上させることが比較的容易にできる。そのため、端子係合解除治具の位置決め精度が低いために係合解除動作が不安定になることを防止することができる。
【図面の簡単な説明】
【００３４】
【図１】本発明に係る端子係合解除治具の一実施の形態の説明図で、（ａ）は斜視図、（ｂ）は側面図、（ｃ）は（ｂ）のＣ部の拡大図である。
【図２】（ａ）は図１に示した端子係合解除治具の軸部先端の拡大斜視図、（ｂ）は（ａ）のＤ矢視図である。
【図３】本発明に係るコネクタハウジングの一実施形態の斜視図である。
【図４】図３のＥ部の拡大図である。
【図５】図３に示したコネクタハウジングの正面図である。
【図６】図５のＦ部の拡大図である。
【図７】図３に示したコネクタハウジングの縦断面図である。
【図８】（ａ）は図７のＧ部の拡大図、（ｂ）は図７のＨ部の拡大図である。
【図９】図７に示したコネクタハウジングの端子収容室に接続端子が嵌合装着されている状態の縦断面図である。
【図１０】図９のＩ部の拡大図である。
【図１１】図１０に示したランスの拡大斜視図である。
【図１２】図１１に示したランスの正面図である。
【図１３】図１２のＪ部の拡大図である。
【図１４】図１０に示したコネクタハウジングの治具用孔に、図１に示した端子係合解除治具の軸部が挿入される前の位置関係を示す縦断面図である。
【図１５】図１４に示したコネクタハウジングの治具用孔に端子係合解除治具の軸部が挿入されて、軸部の先端の第１傾斜面により接続端子が係合解除方向に変位する状態の説明図である。
【図１６】端子係合解除治具の軸部の先端の第２傾斜面がランスに当接開始した状態の説明図である。
【図１７】図１６のＫ部の拡大図である。
【図１８】端子係合解除治具の軸部の先端の第２傾斜面によりランスが係合解除方向に変位した状態の説明図である。
【図１９】図１８のＬ部の拡大図である。
【図２０】従来の端子係合解除治具及びコネクタハウジングにおける端子係合解除方法の説明図である。
【発明を実施するための形態】
【００３５】
以下、本発明に係る端子係合解除治具及びコネクタハウジングの好適な実施形態について、図面を参照して詳細に説明する。
【００３６】
図１及び図２は本発明に係る端子係合解除治具の一実施形態の説明図、図３〜図１３は本発明に係るコネクタハウジングの一実施形態の説明図である。
【００３７】
図１に示した端子係合解除治具２１は、作業者が把持する把持部２２と、この把持部２２から突出した軸部２３とを備えている。軸部２３は、図３〜図１３に示したコネクタハウジング３１の治具用孔３２に挿入される。
【００３８】
コネクタハウジング３１は、図９及び図１０に示すように、ハウジング本体３３と、このハウジング本体３３の前端部に嵌合装着されるフロントホルダ３４とから構成されている。
【００３９】
コネクタハウジング３１は、図３〜図１０に示すように、後端（図７では、左端）３１ａから前端３１ｂに向かって接続端子４１が嵌合装着される端子収容室３６と、端子収容室３６に装着された接続端子４１に係合して接続端子４１の抜け止めをするランス３７と、前述の治具用孔３２とを備えている。
【００４０】
ランス３７は、図９及び図１０に示すように、ばね片３７ａの先端に接続端子４１を係止する突起部３７ｂを設けた構造である。ばね片３７ａは、接続端子４１の挿入方向に直交する方向に弾性変位可能に端子収容室３６に臨んで設けられている。
【００４１】
より具体的には、ランス３７は、端子収容室３６の底部に臨んで設けられている。また、ばね片３７ａは、コネクタハウジング３１の後端３１ａ側から前端３１ｂ側に向かって延設されている。
【００４２】
突起部３７ｂは、端子収容室３６内に突出するように、ばね片３７ａの先端部に形成されている。この突起部３７ｂは、端子収容室３６に挿入された接続端子４１の底部の係止用凹部４５に係合することで、接続端子４１の抜け止めを果たす。
【００４３】
治具用孔３２は、端子収容室３６の貫通方向に沿ってコネクタハウジング３１の前端３１ｂに穿設されている。
【００４４】
端子係合解除治具２１は、コネクタハウジング３１内のランス３７と接続端子４１との係合を解除するための専用工具である。
【００４５】
本実施形態の端子係合解除治具２１の軸部２３は、図２に示すように、端子収容室３６の底面部に平行な第１板部５１と、端子収容室３６の底面部に垂直な第２板部５２とを備えている。第２板部５２は、第１板部５１の一側縁から略垂直に上方に延出している。
【００４６】
軸部２３は、図２（ｂ）に示すように、第１板部５１と第２板部５２とでＬ字形の断面構造に形成されている。
【００４７】
軸部２３の第１板部５１の先端には、第１傾斜面５４と第２傾斜面５５とが形成されている。
【００４８】
第１傾斜面５４は、第１板部５１の先端の一部範囲に形成されている。この第１傾斜面５４は、図１４及び図１５に示すように、軸部２３の治具用孔３２への挿入により端子収容室３６内の接続端子４１の前端稜線部４３に当接する。第１傾斜面５４が前端稜線部４３に当接した状態で、軸部２３を更に前端稜線部４３に押し込むと、第１傾斜面５４は、接続端子４１に端子収容室３６内のランス３７との係合を解除する方向（図１５の矢印Ｘ方向）の付勢力を作用させる。
【００４９】
第２傾斜面５５は、第１傾斜面５４とは端子収容室３６の幅方向に位置をずらして、第１板部５１の先端の一部範囲に設けられている。
【００５０】
この第２傾斜面５５は、 図１６及び図１７に示すように、軸部２３の治具用孔３２への挿入により、端子収容室３６内のランス３７の前端の治具受け面３７ｃに乗り上げて、ランス３７に接続端子４１との係合を解除する方向（図１７の矢印Ｙ方向）の付勢力を作用させる。
【００５１】
また、第１板部５１の第１傾斜面５４と第２傾斜面５５は、第１傾斜面５４が接続端子４１の前端稜線部４３に当接した後、更に第１板部５１を治具用孔３２に押し込むと、第２傾斜面５５が治具受け面３７ｃに乗り上げるように、それぞれの軸方向の位置が設定されている。
【００５２】
治具受け面３７ｃは、図１１〜図１３に示すように、ばね片３７ａの先端部に、突起部３７ｂに隣接して設けられている。治具受け面３７ｃは、第２傾斜面５５が乗り上げやすいように形成された傾斜面で、突起部３７ｂの片側に形成されている。
【００５３】
軸部２３が挿入されるコネクタハウジング３１の治具用孔３２は、図６に示すように、図２（ｂ）に示した第１板部５１が挿入可能な第１孔６１と、第２板部５２が挿入可能な第２孔６３とを備えている。
【００５４】
治具用孔３２は、第１孔６１と第２孔６３とによって、Ｌ字形の横断面構造になっている。このＬ字形の横断面構造は、端子係合解除治具２１の軸部２３の横断面構造に相応させたものである。
【００５５】
また、図６に示すように、第１板部５１の板厚方向となる第１孔６１の開口幅ｔ１は、第１板部５１が板厚方向にガタ付かないように、第１板部５１の板厚に近い寸法に設定されている。
【００５６】
また、第２板部５２の板厚方向となる第２孔６３の開口幅ｔ２は、第２板部５２が板厚方向にガタ付かないように、第２板部５２の板厚に近い寸法に設定されている。
【００５７】
以上に説明した一実施形態の端子係合解除治具２１は、軸部２３を、コネクタハウジング３１の端子収容室３６の貫通方向に沿って、コネクタハウジング３１の治具用孔３２に押し込むと、まず、図１５に示すように、軸部２３の先端の第１傾斜面５４が端子収容室３６内の接続端子４１の前端稜線部４３に当接する。その状態で、軸部２３を更に治具用孔３２に押し込むと、第１傾斜面５４が、端子収容室３６内のランス３７との係合を解除する方向に、接続端子４１を変位させる。
【００５８】
また、軸部２３の治具用孔３２への押し込みが進むと、図１６及び図１７に示すように、軸部２３の先端の第２傾斜面５５が端子収容室３６内のランス３７の前端の治具受け面３７ｃに乗り上げる。この状態で、更に軸部２３を治具用孔３２に押し込むと、図１８及び図１９に示すように、第２傾斜面５５が、接続端子４１との係合を解除する方向にランス３７を撓み変位させる。
【００５９】
従って、軸部２３の治具用孔３２への押し込み量が一定長に達すると、接続端子４１及びランス３７のそれぞれの変位によって、図１９に示したように、互いの係合が解除された状態となる。
【００６０】
換言すると、上記一実施形態の端子係合解除治具２１によれば、接続端子４１とランス３７との係合を解除させる際の操作は、端子係合解除治具２１の軸部２３を真っ直ぐにコネクタハウジング３１の治具用孔３２に押し込むだけでよく、こじる操作が不要になる。
【００６１】
従って、端子係合解除治具のこじり操作に起因した接続端子４１やコネクタハウジング３１の損傷を防止することができる。
【００６２】
しかも、上記一実施形態の端子係合解除治具２１では、コネクタハウジング３１の治具用孔３２に真っ直ぐ押し込んだときに、第１傾斜面５４及び第２傾斜面５５によって、互いに係合している接続端子４１とランス３７のそれぞれを、係合解除方向に変位させる。
【００６３】
そのため、ランス３７のみを係合解除方向に撓ませていた従来の場合と比較すると、係合解除時におけるランス３７の撓み変位量を小さくすることができる。従って、係合解除時にランス３７に作用する負担が小さくなり、係合解除操作を繰り返しても、ランス３７に破損が生じ難くなる。
【００６４】
また、上記一実施形態の端子係合解除治具２１では、軸部２３の第１板部５１には、接続端子４１を変位させる第１傾斜面５４とランス３７を変位させる第２傾斜面５５とが設けられていて、これらの第１傾斜面５４と第２傾斜面５５とに作用する反力が互いに逆向きになる。そのため、第１板部５１の先端では、接続端子４１からの反力とランス３７からの反力とが打ち消し合うことになる。そのため、ランスのみを変位させるために片側にのみ反力が作用する従来の端子係合解除治具の場合と比較すると、第１板部５１の先端に作用する反力が小さくなり、第１板部５１の先端に反りが生じ難い。
【００６５】
しかも、軸部２３は、第１板部５１の一側縁に第２板部５２が延設されていて、断面構造がＬ字形を成していることから、板部の肉厚を低減しても、高い剛性を確保し易い。
【００６６】
従って、上記一実施形態の端子係合解除治具２１では、軸部２３を構成している各板部の肉厚を低減して軽量化を図ることができる。
【００６７】
また、上記一実施形態のコネクタハウジング３１では、治具用孔３２の横断面構造が、前記治具用孔３２に挿入される端子係合解除治具２１の軸部２３横断面構造に相応するＬ字形に形成されている。そのため、上記実施形態に記載したように、例えば、治具用孔３２を構成している第１孔６１及び第２孔６３の板厚方向の開口幅ｔ１，ｔ２（図６参照）を、軸部２３のそれぞれの板部５１，５２の板厚に近い寸法に設定して、これらの板部５１，５２に対して板厚方向の位置決め精度を上げるだけで、軸部２３に対しては直交する２方向の位置決め精度を向上させることができる。
【００６８】
従って、治具用孔３２における端子係合解除治具２１の位置決め精度を向上させることが比較的容易にでき、端子係合解除治具２１の位置決め精度が低いために、軸部２３の先端部が接続端子４１やランス３７に正確に当接せずに係合解除動作が不安定になることを防止することができる。
【００６９】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００７０】
例えば、本発明に係る端子係合解除治具の軸部は、第１板部５１のみでも十分な剛性が確保できる場合には、第２板部５２を省いた構造としても良い。
【００７１】
また、その場合には、コネクタハウジングに装備する治具用孔の断面構造も、第１板部に対応した単純な構造にすると良い。
【符号の説明】
【００７２】
２１  端子係合解除治具
２３  軸部
３１  コネクタハウジング
３２  治具用孔
３３  ハウジング本体
３４  フロントホルダ
３６  端子収容室
３７  ランス
３７ａ  ばね片
３７ｂ  突起部
３７ｃ  治具受け面
４１  接続端子
４３  前端稜線部
４５  係止用凹部
５１  第１板部
５２  第２板部
５４  第１傾斜面
５５  第２傾斜面
６１  第１孔
６３  第２孔
【図１】
2011054535.tif 000003
【図２】
2011054535.tif 000004
【図３】
2011054535.tif 000005
【図４】
2011054535.tif 000006
【図５】
2011054535.tif 000007
【図６】
2011054535.tif 000008
【図７】
2011054535.tif 000009
【図８】
2011054535.tif 000010
【図９】
2011054535.tif 000011
【図１０】
2011054535.tif 000012
【図１１】
2011054535.tif 000013
【図１２】
2011054535.tif 000014
【図１３】
2011054535.tif 000015
【図１４】
2011054535.tif 000016
【図１５】
2011054535.tif 000017
【図１６】
2011054535.tif 000018
【図１７】
2011054535.tif 000019
【図１８】
2011054535.tif 000020
【図１９】
2011054535.tif 000021
【図２０】
2011054535.tif 000022